(57)【要約】【課題】上向きに開口する環状のバーナヘッド部６を有するバーナ本体５と、バーナヘッド部上に設けられる環状のバーナキャップ７とを備えるコンロ用バーナにおいて、誤セット状態での逆火等の燃焼不良を防止できるようにする。【解決手段】バーナヘッド部６は、下バーナヘッド部６１と上バーナヘッド部６２とに２分割され、上バーナヘッド部６２にバーナキャップ７が固定又は一体に形成される。下バーナヘッド部６１の外周壁６１１の上バーナヘッド部の外周壁６２１が嵌合しない周面の一部に、径方向に窪む凹部６１３が形成されると共に、上バーナヘッド部６２に、凹部６１３に差し込まれる位相決め片６２３が垂設される。また、位相決め片６２３が下バーナヘッド部６１の外周壁上端に当接する誤セット状態において、上バーナヘッド部６２の外周壁６２１及び内周壁６２２の下端部が下バーナヘッド部６１の外周壁６１１及び内周壁６１２に嵌合するように構成する。【選択図】図１
2011241995.tif 000002
【特許請求の範囲】
【請求項１】
上向きに開口する環状のバーナヘッド部を有するバーナ本体と、バーナヘッド部上に設けられ、バーナヘッド部内に供給された混合気を噴出する炎孔をバーナヘッド部との間に画成する環状のバーナキャップとを備えるコンロ用バーナにおいて、
バーナヘッド部は、外周壁及び内周壁を有する下バーナヘッド部と、下バーナヘッド部の外周壁及び内周壁に夫々上方から嵌合する外周壁及び内周壁を有する上バーナヘッド部とに２分割され、
上バーナヘッド部に固定手段でバーナキャップが固定されるか又は上バーナヘッド部にバーナキャップが一体に形成され、
下バーナヘッド部の外周壁又は内周壁の上バーナヘッド部の外周壁又は内周壁が嵌合しない周面の周方向の一部に径方向に窪む凹部が形成されると共に、上バーナヘッド部に、凹部に上方から差し込まれる位相決め片が垂設され、
上バーナヘッド部の外周壁及び内周壁の上下方向長さは、位相決め片が凹部から外れて下バーナヘッド部の外周壁又は内周壁の上端に当接する誤セット状態において、下バーナヘッド部の外周壁と内周壁とに上バーナヘッド部の外周壁と内周壁との下端部が夫々嵌合するように設定されることを特徴とするコンロ用バーナ。
【請求項２】
請求項１記載のコンロ用バーナであって、前記バーナキャップの上方への投影空間内に張り出す五徳爪を有する五徳を天板上に載置したコンロに設けられるものにおいて、
前記誤セット状態における前記バーナキャップの高さは、五徳爪がバーナキャップに当接して五徳が天板から浮き上がるように設定されることを特徴とするコンロ用バーナ。
【発明の詳細な説明】
【技術分野】
【０００１】
本発明は、上向きに開口する環状のバーナヘッド部を有するバーナ本体と、バーナヘッド部上に設けられ、バーナヘッド部内に供給された混合気を噴出する炎孔をバーナヘッド部との間に画成する環状のバーナキャップとを備えるコンロ用バーナに関する。
【背景技術】
【０００２】
従来、この種のコンロ用バーナにおいては、バーナキャップをバーナヘッド部上に着脱自在に載置している。この場合、一旦取り外したバーナキャップを正規位相からずれた誤セット状態でバーナヘッド部上に載置することを防止することが必要になる。その理由は例えば以下の通りである。即ち、コンロの天板に載置する五徳の爪（五徳爪）に対応する炎孔を小炎孔とする場合、小炎孔が五徳爪と同方位になるようにバーナキャップを正規位相でセットすることが必要になる。
【０００３】
そこで、従来、バーナキャップの内周に、バーナヘッド部の内周壁の内周に嵌合する内筒部を垂設し、内筒部の下端の周方向一部に下方にのびる位相決め片を延設すると共に、バーナヘッド部の内周壁の下部内周面に、位相決め片を挿入可能な周方向の隙間を残して、径方向内方に突出する突部を形成したコンロ用バーナが知られている（例えば、特許文献１参照）。このものでは、バーナキャップを正規位相からずれた誤セット状態でバーナヘッド部上に載置すると、位相決め片が突部に当接して、バーナキャップがバーナヘッド部から浮き上がり、使用者が誤セット状態であると気付く。
【０００４】
然し、使用者によっては、バーナキャップがバーナヘッド部から浮き上がっていても、誤セット状態と気付かずに点火してしまうことがある。この場合、バーナヘッド部とバーナキャップとの間に正常に炎孔が画成されないため、逆火等の燃焼不良を生じてしまう。
【先行技術文献】
【特許文献】
【０００５】
【特許文献１】特開２００３−２１４６０６号公報
【発明の概要】
【発明が解決しようとする課題】
【０００６】
本発明は、以上の点に鑑み、誤セット状態での逆火等の燃焼不良を防止できるようにしたコンロ用バーナを提供することをその課題としている。
【課題を解決するための手段】
【０００７】
上記課題を解決するために、本発明は、上向きに開口する環状のバーナヘッド部を有するバーナ本体と、バーナヘッド部上に設けられ、バーナヘッド部内に供給された混合気を噴出する炎孔をバーナヘッド部との間に画成する環状のバーナキャップとを備えるコンロ用バーナにおいて、バーナヘッド部は、外周壁及び内周壁を有する下バーナヘッド部と、下バーナヘッド部の外周壁及び内周壁に夫々上方から嵌合する外周壁及び内周壁を有する上バーナヘッド部とに２分割され、上バーナヘッド部に固定手段でバーナキャップが固定されるか又は上バーナヘッド部にバーナキャップが一体に形成され、下バーナヘッド部の外周壁又は内周壁の上バーナヘッド部の外周壁又は内周壁が嵌合しない周面の周方向の一部に径方向に窪む凹部が形成されると共に、上バーナヘッド部に、凹部に上方から差し込まれる位相決め片が垂設され、上バーナヘッド部の外周壁及び内周壁の上下方向長さは、位相決め片が凹部から外れて下バーナヘッド部の外周壁又は内周壁の上端に当接する誤セット状態において、下バーナヘッド部の外周壁と内周壁とに上バーナヘッド部の外周壁と内周壁との下端部が夫々嵌合するように設定されることを特徴とする。
【０００８】
本発明によれば、誤セット状態においても、下バーナヘッド部の外周壁と内周壁とに上バーナヘッド部の外周壁と内周壁との下端部が夫々嵌合するため、下バーナヘッド部と上バーナヘッド部との間からのガス漏れは生じない。また、バーナキャップが上バーナヘッド部に固定又は一体に形成されるため、誤セット状態であるか否かに拘わらず、上バーナヘッド部とバーナキャップとの間に炎孔が正常に画成される。従って、誤セット状態においても、混合気は炎孔から正常に噴出して燃焼し、逆火等の燃焼不良は生じない。
【０００９】
尚、誤セット状態から上バーナヘッド部を回動させれば、位相決め片が凹部に合致したところで、位相決め片が凹部に差し込まれると共に、下バーナヘッド部の外周壁と内周壁とに上バーナヘッド部の外周壁と内周壁とが完全に嵌合し、正規位相で上バーナヘッド部が下バーナヘッド部にセットされる。
【００１０】
また、バーナキャップの上方への投影空間内に張り出す五徳爪を有する五徳を天板上に載置したコンロに上記本発明のコンロ用バーナを設ける場合、誤セット状態におけるバーナキャップの高さは、五徳爪がバーナキャップに当接して五徳が天板から浮き上がるように設定されることが望ましい。これによれば、上バーナヘッド部の誤セット状態では、五徳を天板上に載置することができず、使用者に誤セット状態であることを気付かせることができる。
【図面の簡単な説明】
【００１１】
【図１】本発明の実施形態のコンロ用バーナを具備するコンロの要部断面図。
【図２】実施形態のコンロ用バーナの分解状態の斜視図。
【図３】上バーナヘッド部の斜め下方から見た斜視図。
【図４】誤セット状態におけるコンロの要部断面図。
【発明を実施するための形態】
【００１２】
図１を参照して、１はコンロ本体、２はコンロ本体１の上面を覆う天板を示している。天板２上には五徳３が載置されており、五徳３で囲われる部分に本発明の実施形態のコンロ用バーナ４が設けられている。尚、五徳３は、天板２上に着座する環状の五徳枠３ａに周方向の間隔を存して複数（例えば、４個）の五徳爪３ｂを取り付けて成るものである。
【００１３】
コンロ用バーナ４は、上向きに開口する環状のバーナヘッド部６を有するバーナ本体５と、バーナヘッド部６上に設けられるバーナキャップ７とを備えている。更に、バーナヘッド部６は、下バーナヘッド部６１と上バーナヘッド部６２とに２分割されている。
【００１４】
バーナ本体５は、コンロ本体１内に設けた支持ブロック８で支持される下板部５１と、下板部５１より小径の上板部５２とを有している。そして、下板部５１の外周に、下バーナヘッド部６１の外周壁６１１を立設すると共に、上板部５２の外周に、下バーナヘッド部６１の内周壁６１２を立設している。
【００１５】
また、下板部５１の中央部には、下方にのびるスロート部５３が垂設されており、支持ブロック８に、スロート部５３の下端開口に対向するガスノズル８１を設けると共に、ガスノズル８１に燃料ガスを供給するガス通路８２を形成している。上板部５２には、下板部５１と上板部５２間の中央部の空間を下バーナヘッド部６１内の空間に連通するダクト部５４が周方向の間隔を存して複数形成されている（図２参照）。そして、スロート部５３にガスノズル８１から噴射される燃料ガスとスロート部５３に吸引される一次空気との混合気が下板部５１と上板部５２間の中央部の空間からダクト部５４を介して下バーナヘッド部６１内に供給されるようにしている。
【００１６】
尚、上板部５２の中央部上面には子バーナヘッド部５５が立設されており、子バーナヘッド部５５上に円板状の子バーナキャップ５６を載置している。そして、下板部５１と上板部５２間の中央部の空間から上板部５２に形成した透孔５７を介して混合気を子バーナヘッド部５５内に供給し、子バーナヘッド部５５と子バーナキャップ５６との間に画成される子バーナ炎孔５８から混合気を噴出させて燃焼させるようにしている。
【００１７】
前記上バーナヘッド部６２は、下バーナヘッド部６１の外周壁６１１の内外一方の周面（図示例では外周面）に嵌合する外周壁６２１と、下バーナヘッド部６１の内周壁６１２の内外一方の周面（図示例では外周面）に嵌合する内周壁６２２とを有している。外周壁６２１の上部には、径方向内方に屈曲して下バーナヘッド部６１の外周壁６１１の上端に着座する着座部６２１ａと、着座部６２１ａから上方にのびる立上り部６２１ｂとが形成されており、立上り部６２１ｂの上端に、周方向の間隔を存して多数の溝を形成している。そして、上バーナヘッド部６２上に設けるバーナキャップ７でこれら溝を上方から覆うことにより、上バーナヘッド部６２とバーナキャップ７との間にこれら溝から成る多数の炎孔６３が画成されるようにしている。
【００１８】
また、バーナキャップ７は固定手段で上バーナヘッド部６２に固定されている。即ち、図２、図３に示す如く、上バーナヘッド部６２の周方向複数個所（例えば、４箇所）に外周壁６２１と内周壁６２２とを連結するブリッジ部６２４を設けて、これらブリッジ部６２４の２つに上下方向に貫通する孔６２５を形成すると共に、バーナキャップ７の下面の２箇所にねじ孔７２を有するコ字状の固定片７３を取付け、固定手段たる固定ねじ７１を孔６２５を通してねじ孔７２に締め込むことにより、バーナキャップ７を上バーナヘッド部６２に固定している。これにより、上バーナヘッド部６２とバーナキャップ７との間に常に正常な状態で炎孔６３が画成される。尚、バーナキャップ７が固定されていても、上バーナヘッド部６２を下バーナヘッド部６１から取り外して丸洗いすることにより、炎孔６３の目詰まりは解消できる。
【００１９】
ところで、炎孔６３は、通常炎孔６３ａとそれより小さな小炎孔６３ｂとから成り、五徳爪３ｂに対応する周方向部分では、炎が五徳爪３ｂに触れないように小炎孔６３ｂのみが連続して形成され、それ以外の周方向部分では、通常炎孔６３ａと小炎孔６３ｂとが交互に形成されている。この場合、上バーナヘッド部６２を、小炎孔６３ｂの連続部分が五徳爪３ｂと同一方位に位置する正規位相で下バーナヘッド部６１にセットする必要がある。
【００２０】
そこで、本実施形態では、下バーナヘッド部６１の内周面（外周壁６１１の上バーナヘッド部６２の外周壁６２１が嵌合しない周面）に、図２に示す如く、径方向に窪む凹部６１３を周方向４箇所に形成すると共に、上バーナヘッド部６２に、図３に示す如く、凹部６１３に上方から差し込まれる位相決め片６２３を周方向４箇所に垂設している。そして、上バーナヘッド部６２が上記正規位相になったときにのみ、図１に示す如く、各位相決め片６２３が各凹部６１３に上方から差し込まれて、下バーナヘッド部６１に上バーナヘッド部６２が正常に嵌合するようにしている。
【００２１】
また、本実施形態では、位相決め片６２３が凹部６１３から外れて下バーナヘッド部６１の外周壁６１１の上端に当接する誤セット状態において、図４に示す如く、下バーナヘッド部６１の外周壁６１１と内周壁６１２とに上バーナヘッド部６２の外周壁６２１と内周壁６２２との下端部が夫々嵌合するように、これら外周壁６２１及び内周壁６２２の上下方向長さを設定している。
【００２２】
これによれば、誤セット状態においても、下バーナヘッド部６１と上バーナヘッド部６２との間からのガス漏れは生じない。また、バーナキャップ７が上バーナヘッド部６２に固定されるため、誤セット状態であるか否かに拘わらず、上バーナヘッド部６２とバーナキャップ７との間に炎孔６３が正常に画成される。従って、誤セット状態においても、混合気は炎孔６３から正常に噴出して燃焼し、逆火等の燃焼不良は生じない。
【００２３】
また、本実施形態において、各五徳爪３ｂは、バーナキャップ７の上方への投影空間内に張り出している。そして、上バーナヘッド部６２の誤セット状態におけるバーナキャップ７の高さは、五徳爪３ｂがバーナキャップ７に当接して五徳３が天板２から浮き上がるように設定されている。これによれば、上バーナヘッド部６２の誤セット状態では、五徳３を天板２上に載置することができず、使用者に誤セット状態であることを気付かせることができる。
【００２４】
以上、本発明の実施形態について図面を参照して説明したが、本発明はこれに限定されない。例えば、上記実施形態では、上バーナヘッド部６２の外周壁６２１を下バーナヘッド部６１の外周壁６１１の外周面に嵌合させ、下バーナヘッド部６１の外周壁６１１の内周面に凹部６１３を形成しているが、上バーナヘッド部６２の外周壁６２１を下バーナヘッド部６１の外周壁６１１の内周面に嵌合させて、下バーナヘッド部６１の外周壁６１１の外周面に凹部を形成することも可能である。また、凹部は、下バーナヘッド部６１の内周壁６１２の上バーナヘッド部６２の内周壁６２２が嵌合しない周面に形成してもよい。
【００２５】
また、上記実施形態では、上バーナヘッド部６２の上端に炎孔６３となる溝を形成しているが、バーナキャップ７側に炎孔溝を形成することも可能である。また、上記実施形態では、バーナキャップ７が上バーナヘッド部６２に固定ねじ７１で固定されているが、溶接等の固定ねじ以外の固定手段でバーナキャップ７を上バーナヘッド部６２に固定することも可能であり、更には、バーナキャップ７を上バーナヘッド部６２に一体に形成することも可能である。また、上記実施形態のコンロ用バーナは子バーナヘッド部５５と子バーナキャップ５６とを備えているが、これらは省略してもよい。
【符号の説明】
【００２６】
１…コンロ本体、２…天板、３…五徳、３ｂ…五徳爪、４…コンロ用バーナ、５…バーナ本体、６…バーナヘッド部、６１…下バーナヘッド部、６１１…下バーナヘッド部の外周壁、６１２…下バーナヘッド部の内周壁、６１３…凹部、６２…上バーナヘッド部、６２１…上バーナヘッド部の外周壁、６２２…上バーナヘッド部の内周壁、６２３…位相決め片、７…バーナキャップ、７１…固定ねじ（固定手段）。
【図１】
2011241995.tif 000003
【図２】
2011241995.tif 000004
【図３】
2011241995.tif 000005
【図４】
2011241995.tif 000006